【事件の表示】
　特願２００６−　　４９５９「ビデオ再生装置およびビデオ再生方法」拒絶査定不服審判事件〔平成１８年　６月　８日出願公開、特開２００６−１４７１４２〕について、次のとおり審決する。
【結　論】
　本件審判の請求は、成り立たない。
【理　由】
　
第１　手続の経緯
　
　本願は、平成９年１月１６日（優先権主張　平成８年１月２４日）に出願した特願平９−５８４５号の一部を平成１８年１月１２日に新たな特許出願としたものであって、平成１９年８月３日付けで拒絶理由が通知され、その指定期間内である同年１０月１５日付けで手続補正がなされたが、同年１１月１３日付けで拒絶査定がなされ、これに対し、同年１２月２０日に拒絶査定不服審判が請求されるとともに、平成２０年１月２１日付けで手続補正がなされたものである。
　その後、平成２２年６月８日付けで前置報告に基づく審尋がなされたが、回答書は提出されず、当審において同年９月１３日付けで最後の拒絶理由が通知され、その指定期間内である同年１１月１２日付けで手続補正がなされたものである。
　
　
第２　平成２２年１１月１２日付けの手続補正についての補正却下の決定
　
[補正却下の決定の結論］
　平成２２年１１月１２日付けの手続補正を却下する。
　
「理由」
　
１．本件補正後の特許請求の範囲の記載
　
　平成２２年１１月１２日付けの手続補正（以下「本件補正」という。）により、本願の特許請求の範囲は次のとおり補正された。
　
「【請求項１】
　ビデオ再生装置と前記ビデオ再生装置と接続される通信装置と前記通信装置と通信するサーバと前記ビデオ再生装置と接続される表示装置とを備えるビデオ再生システムであって、
　前記ビデオ再生装置は、
　前記通信装置と通信する第１のビデオ再生装置側通信部と、
　データを記憶するビデオ再生装置側記憶部と、
　圧縮ビデオデータを伸張する伸張部と、
　前記表示装置と通信する第２のビデオ再生装置側通信部と、
　ビデオ再生装置側表示部と、
　前記ビデオ再生装置側表示部に圧縮ビデオデータのジャンルを表示させ、前記ジャンルのうち選択された一のジャンルに基づいて、前記一のジャンルに分類される前記ビデオデータ
の名前を
記名前の
の名前に
前記第１のビデオ再生装置側通信部に前記通信装置から前記一
の名前に
　を備え、
　前記通信装置は、
　前記ビデオ再生装置が載置される凹部と、
　前記凹部に設けられ、前記第１のビデオ再生装置側通信部と接続される第１の通信装置側通信部と、
　前記サーバと通信するための第２の通信装置側通信部と、
　を備え、
　前記サーバは、
　ビデオデータを記憶するサーバ側記憶部と、
　前記通信装置と通信するためのサーバ側通信部と、
　前記通信装置からのビデオデータ送信要求に基づいて、前記サーバ側記憶部から所定のビデオデータを読み出させ、前記サーバ側通信部を制御して前記所定のビデオデータを前記通信装
置へ
　を備え、
　前記表示装置は、
　前記ビデオ再生装置の前記第２のビデオ再生装置側通信部と接続する表示装置側通信部と、
　前記表示装置側通信部を介して受信する前記伸張部が伸張した前記圧縮ビデオデータを表示する表示部と、
　を備える
　ことを特徴とするビデオ再生システム。
　【請求項２】
　外部機器と通信する第１の通信部と、
　他の外部機器と通信する第２の通信部と、
　データを記憶する記憶部と、
　圧縮ビデオデータを伸張する伸張部と、
　表示部と、
　操作部と、
　前記表示部に圧縮ビデオデータのジャンルを表示させ、前記ジャンルのうち前記操作部への操作入力に基づいて選択された一のジャンルに分類される前記ビデオデータ
の名前を
記名前の
の名前に
の名前に
　を備える携帯型ビデオ再生装置。
　【請求項３】
　前記外部機器は、
　前記携帯型ビデオ再生装置が載置される凹部と、
　前記凹部に設けられ、前記ビデオ再生装置が載置されることで、前記第１の通信部と接続される第３の通信部と
　サーバと接続して圧縮ビデオデータを受信する第４の通信部と、
　を備え、
　前記制御部は、前記外部機器が受信する圧縮ビデオデータを、前記第１の通信部に受信させ、前記記憶部に記憶させる
ことを特徴とする請求項２に記載の携帯型ビデオ再生装置。
　【請求項４】
　前記第１の通信部は、サーバと無線で接続するための無線部であることを特徴とする請求項２に記載の携帯型ビデオ再生装置。
　【請求項５】
　前記携帯型ビデオ再生装置は更に、ＧＰＳ部を備えることを特徴とする請求項２に記載の携帯型ビデオ再生装置。
　【請求項６】
　ビデオ再生装置と前記ビデオ再生装置と接続される通信装置と前記通信装置と通信するサーバと前記ビデオ再生装置と接続される表示装置とを備えるビデオ再生システムにおける再生方法であって、
　前記ビデオ再生装置は、
　第１のビデオ再生装置側通信部によって前記通信装置と通信し、
　ビデオ再生装置側記憶部によってデータを記憶し、
　伸張部によって圧縮ビデオデータを伸張し、
　第２のビデオ再生装置側通信部によって前記表示装置と通信し、
　ビデオ再生装置側制御部によって、ビデオ再生装置側表示部に圧縮ビデオデータのジャンルを表示させ、前記ジャンルのうち選択された一のジャンルに基づいて、前記一のジャンルに分類される前記ビデオデータ
の名前を
記名前の
の名前に
の名前に
　前記通信装置は、
　前記ビデオ再生装置を凹部と載置し、
　前記凹部に設けられた第１の通信装置側通信部によって前記第１のビデオ再生装置側通信部と接続され、
　第２の通信装置側通信部によって前記サーバと通信し、
　前記サーバは、
　ビデオデータをサーバ側記憶部に記憶し、
　サーバ側通信部によって前記通信装置と通信し、
　サーバ側制御部によって、前記通信装置からのビデオデータ送信要求に基づいて、前記サーバ側記憶部から所定のビデオデータを読み出させ、前記サーバ側通信部を制御して前記所定のビデオデータを前記通信装
置へ
　前記表示装置は、
　前記ビデオ再生装置の前記第２のビデオ再生装置側通信部と表示装置側通信部とを接続し、
　表示部によって前記表示装置側通信部を介して受信する前記伸張部が伸張した前記圧縮ビデオデータを表示する
ことを特徴とするビデオ再生方法。
　【請求項７】
　表示部に圧縮ビデオデータのジャンルを表示させ、前記ジャンルのうち操作部への操作入力に基づいて選択された一のジャンルに分類される前記ビデオデータ
の名前を
記名前の
の名前に
の名前に
　ビデオ再生方法。
　【請求項８】
　前記外部機器に設けられた凹部に、前記携帯型ビデオ再生装置が載置されることで、前記第１の通信部と第３の通信部とが接続され、
　第４の通信部によってサーバと接続して圧縮ビデオデータを受信し、
　前記外部機器が受信する圧縮ビデオデータを、前記第１の通信部に受信させ、前記記憶部に記憶させる
ことを特徴とする請求項７に記載のビデオ再生方法。
　【請求項９】
　前記第１の通信部が無線部であり、サーバと無線で接続することを特徴とする請求項７に記載のビデオ再生方法。
　【請求項１０】
　更に、ＧＰＳ部を備えることを特徴とする請求項７に記載のビデオ再生方法。」
　
２．新規事項について
　
　本件補正が、本願の願書に最初に添付した明細書、特許請求の範囲又は図面（以下「当初明細書等」という）に記載した事項の範囲内においてなされたものであるか否かについて検討する。
  
　本件補正は、ビデオデータを選択するための技術事項に関して、ビデオデータの「曲名」をビデオデータの「名前」に補正することによって、ビデオデータの「名前」を表示部に表示してビデオデータを選択するとするものである。
　
　これに対し、当初明細書等には、音楽データを選択する際に音楽データの曲名を表示部に表示して選択することは開示されているものの、ビデオデータを選択することに関しては一切開示されておらず、まして、ビデオデータを選択する際にかかるビデオデータの「名前」を表示部に表示することは何ら記載も示唆も示されていない。
　
　すなわち、当初明細書等には、ディジタル携帯型ヘッドホンステレオにおける音楽データの曲名の表示と選択に関して、【００２９】及び【００３０】に
　
「【００２９】
　前述したように、ベースステーション２の凹部３にディジタル携帯型ヘッドホンステレオ１を嵌合すると、ディジタル携帯型ヘッドホンステレオ１が通信機能を持つ。この通信機能により、ＩＳＤＮ回線２３を介して、ディジタル携帯型ヘッドホンステレオ１がネットワークサービスセンタ２１に接続される。ディジタル携帯型ヘッドホンステレオ１がネットワークサービスセンタ２１に接続されると、図３Ａに示すように、例えば、音楽の大分類を示すメニューの画面がネットワークサービスセンタ２１からディジタル携帯型ヘッドホンステレオ１に送られ、ディスプレイ１１に表示される。方向キー１２、入力キー１３Ａ、１３Ｂを使って、この画面中から、所望の分類が指定される。
【００３０】
　分類の指定が終了すると、図３Ｂに示すように、曲名のメニューが現れる。この曲名から所望の曲を方向キー１２、入力キー１３Ａ、１３Ｂを使って選択すると、その曲のデータがネットワークサービスセンタ２１からＩＳＤＮ回線２３を介して、ディジタル携帯型ヘッドホンステレオ１に送られる。そして、この音楽データがディジタル携帯型ヘッドホンステレオ１のハードディスクに記録される。」
　
　と記載されており、音楽データの曲名の表示と選択については開示しているものの、ビデオデータの名前の表示と選択に関しては何ら記載も示唆もされていない。 
　
　一方、ビデオデータに関しては、当初明細書等の【００３８】及び【００５０】に、
　
「【００３８】
　キーボード３２を取り付けることで、更に複雑なコマンドを入力でき、携帯型ヘッドホンステレオ１を種々の用途に使用できる。また、ディスプレイ３１を取り付けると、動画データ等を再生することも可能になり、ネットワークサービスセンタ２１を、オーディオビジュアルのデータベースとして活用できる。なお、ディスプレイ３１としては、ＣＲＴディスプレイの他に、液晶ディスプレイ、プラズマディスプレイ等が利用可能である。」
　
「【００５０】
　機能拡張カード７４は、ディジタル携帯型ヘッドホンステレオ１に更なる機能を追加できるようにするためのものである。機能拡張カード７４は、ＰＣＭＣＩＡカードと同程度の形状であり、機能拡張カード７４としては、例えば、図９に示すように、ＭＰＥＧ等の動画の圧縮／伸長を行う映像記録／再生カード（図９Ａ）、ファクシミリの送受信を可能とするファクシミリ送受信カード（図９Ｂ）、無線でデータを送受信できるようにする無線送受信カード（図９Ｃ）、ページャ機能を付加するページャカード（図９Ｄ）、例えばＧＰＳを用いたナビゲーションを行えるようにするナビゲーションカード（図９Ｅ）、有線でのデータの送受信を行うための有線送受信カード（図９Ｆ）等が考えられている。機能拡張カード７４を取り付けることにより、ディジタル携帯型ヘッドホンステレオ１に他の機能を付加することができ、ディジタル携帯型ヘッドホンステレオ１を他の様々な用途に使用することができる。」
　
　と記載されているものの、【００３８】及び【００５０】の上記記載は、単に、ディスプレイ３１や映像記録／再生カードを用いることにより、ネットワークサービスセンタ２１を、オーディオビジュアルのデータベースとして活用したり、ビデオデータを再生することができるという技術事項を開示しているにすぎず、ビデオデータの名前を表示して選択することに関しては、何ら記載も示唆もされていない。
　
　また、上記【００２９】、【００３０】、【００３８】、【００５０】、並びに関連する図３の記載を総合的に参酌しても、携帯型ヘッドホンステレオ装置にディスプレイや映像記録／再生カードを付加することにより、ビデオデータを再生できるようにすること、例えば、選択した音楽データにビデオデータが付随している場合や、ビデオデータが携帯型ヘッドホンステレオ装置に記憶されている場合には、当該ビデオデータも再生することができることは推察されるにしても、ビデオデータ自体を選択することを目的として当該ビデオデータの名前を表示することまで明らかであるとはいえない。
　
　そして、音楽データの曲名を表示して音楽データを選択する携帯型ヘッドホンステレオ装置にディスプレイや映像記録／再生カードを付加するという技術事項により、ビデオデータの名前を表示して選択するという技術事項が自明であるとする技術的根拠は何ら見出せず、当初明細書等の記載全体を参酌しても、ビデオデータの名前を表示して選択することが自明であるとも認められない。
　
　したがって、本件補正は、当初明細書等に記載した事項の範囲内においてしたものでないから、本件補正は、特許法第１７条の２第３項の規定に規定する要件を満たしていない。
　
３．むすび
　
　以上のとおり、本件補正は、特許法第１７条の２第３項の規定に違反するものであるから、同法第１５９条第１項において読み替えて準用する同法第５３条第１項の規定により却下すべきものである。　
　
　
第３　本願発明について
　
１．本願発明
　
　平成２２年１１月１２日付けの手続補正は上記のとおり却下されたので、本願の請求項１に係る発明は、平成２０年１月２１日付けの手続補正により補正された特許請求の範囲の請求項１に記載された事項によって特定される、次のとおりのものである。
　
「【請求項１】
　ビデオ再生装置と前記ビデオ再生装置と接続される通信装置と前記通信装置と通信するサーバと前記ビデオ再生装置と接続される表示装置とを備えるビデオ再生システムであって、
　前記ビデオ再生装置は、
　前記通信装置と通信する第１のビデオ再生装置側通信部と、
　データを記憶するビデオ再生装置側記憶部と、
　圧縮ビデオデータを伸張する伸張部と、
　前記表示装置と通信する第２のビデオ再生装置側通信部と、
　
ビデオ再生装置側表示部と、
　
前記ビデオ再生装置側表示部に圧縮ビデオデータのジャンルを表示させ、前記ジャンルのうち選択された一のジャンルに基づいて、前記一のジャンルに分類される前記ビデオデータの曲名を前記ビデオ再生装置側表示部に表示させ、前記曲名のうち選択された一の曲名に対応するビデオデータの配信要求を前記第１のビデオ再生装置側通信部に送信させ、前記第１のビデオ再生装置側通信部に前記通信装置から前記一の曲名に対応する
　を備え、
　前記通信装置は、
　前記ビデオ再生装置が載置される凹部と、
　前記凹部に設けられ、前記第１のビデオ再生装置側通信部と接続される第１の通信装置側通信部と、
　前記サーバと通信するための第２の通信装置側通信部と、
　を備え、
　前記サーバは、
　ビデオデータを記憶するサーバ側記憶部と、
　前記通信装置と通信するためのサーバ側通信部と、
　前記通信装置からのビデオデータ送信要求に基づいて、前記サーバ側記憶部から所定のビデオデータを読み出させ、前記サーバ側通信部を制御して前記所定のビデオデータを前記通信装置信へ送信させるサーバ側制御部と、
　を備え、
　前記表示装置は、
　前記ビデオ再生装置の前記第２のビデオ再生装置側通信部と接続する表示装置側通信部と、
　前記表示装置側通信部を介して受信する前記伸張部が伸張した前記圧縮ビデオデータを表示する表示部と、
　を備える
　ことを特徴とするビデオ再生システム。」
　
２．新規事項について
　
　平成２０年１月２１日付けの手続補正が、当初明細書等に記載した事項の範囲内においてなされたものであるか否かについて検討する。
　
　平成２０年１月２１日付けの手続補正により、ビデオデータの選択と受信に関する技術事項に関して、
「
ビデオ再生装置側表示部と、
　
前記ビデオ再生装置側表示部に圧縮ビデオデータのジャンルを表示させ、前記ジャンルのうち選択された一のジャンルに基づいて、前記一のジャンルに分類される前記ビデオデータの曲名を前記ビデオ再生装置側表示部に表示させ、前記曲名のうち選択された一の曲名に対応するビデオデータの配信要求を前記第１のビデオ再生装置側通信部に送信させ、前記第１のビデオ再生装置側通信部に前記通信装置から前記一の曲名に対応する
　
　これに対し、当初明細書等には、音楽データを選択して受信する際に、はじめに音楽データのジャンルを表示部に表示してジャンルを選択し、選択されたジャンルに分類される音楽データの曲名を表示して選択し、選択された曲名に対応する音楽データを受信することは開示されているものの、ビデオデータを選択することに関しては一切開示されておらず、まして、ビデオデータのジャンルや曲名を表示してビデオデータを選択し受信することは何ら記載も示唆もされていない。
　
　すなわち、当初明細書等には、ディジタル携帯型ヘッドホンステレオにおける音楽データの受信に関して、【００２９】及び【００３０】に
　
「【００２９】
　前述したように、ベースステーション２の凹部３にディジタル携帯型ヘッドホンステレオ１を嵌合すると、ディジタル携帯型ヘッドホンステレオ１が通信機能を持つ。この通信機能により、ＩＳＤＮ回線２３を介して、ディジタル携帯型ヘッドホンステレオ１がネットワークサービスセンタ２１に接続される。ディジタル携帯型ヘッドホンステレオ１がネットワークサービスセンタ２１に接続されると、図３Ａに示すように、例えば、音楽の大分類を示すメニューの画面がネットワークサービスセンタ２１からディジタル携帯型ヘッドホンステレオ１に送られ、ディスプレイ１１に表示される。方向キー１２、入力キー１３Ａ、１３Ｂを使って、この画面中から、所望の分類が指定される。
【００３０】
　分類の指定が終了すると、図３Ｂに示すように、曲名のメニューが現れる。この曲名から所望の曲を方向キー１２、入力キー１３Ａ、１３Ｂを使って選択すると、その曲のデータがネットワークサービスセンタ２１からＩＳＤＮ回線２３を介して、ディジタル携帯型ヘッドホンステレオ１に送られる。そして、この音楽データがディジタル携帯型ヘッドホンステレオ１のハードディスクに記録される。」
　
　と記載されており、音楽データのジャンルや曲名の表示と選択、受信については開示しているものの、ビデオデータのジャンルや曲名の表示と選択、受信に関しては何ら記載も示唆もされていない。
　
　一方、ビデオデータに関しては、当初明細書等の【００３８】及び【００５０】に、
　
「【００３８】
　キーボード３２を取り付けることで、更に複雑なコマンドを入力でき、携帯型ヘッドホンステレオ１を種々の用途に使用できる。また、ディスプレイ３１を取り付けると、動画データ等を再生することも可能になり、ネットワークサービスセンタ２１を、オーディオビジュアルのデータベースとして活用できる。なお、ディスプレイ３１としては、ＣＲＴディスプレイの他に、液晶ディスプレイ、プラズマディスプレイ等が利用可能である。」
　
「【００５０】
　機能拡張カード７４は、ディジタル携帯型ヘッドホンステレオ１に更なる機能を追加できるようにするためのものである。機能拡張カード７４は、ＰＣＭＣＩＡカードと同程度の形状であり、機能拡張カード７４としては、例えば、図９に示すように、ＭＰＥＧ等の動画の圧縮／伸長を行う映像記録／再生カード（図９Ａ）、ファクシミリの送受信を可能とするファクシミリ送受信カード（図９Ｂ）、無線でデータを送受信できるようにする無線送受信カード（図９Ｃ）、ページャ機能を付加するページャカード（図９Ｄ）、例えばＧＰＳを用いたナビゲーションを行えるようにするナビゲーションカード（図９Ｅ）、有線でのデータの送受信を行うための有線送受信カード（図９Ｆ）等が考えられている。機能拡張カード７４を取り付けることにより、ディジタル携帯型ヘッドホンステレオ１に他の機能を付加することができ、ディジタル携帯型ヘッドホンステレオ１を他の様々な用途に使用することができる。」
　
　と記載されているものの、【００３８】及び【００５０】の上記記載は、単に、ディスプレイ３１や映像記録／再生カードを用いることにより、ネットワークサービスセンタ２１を、オーディオビジュアルのデータベースとして活用したり、ビデオデータを再生することができるという技術事項を開示しているにすぎず、ビデオデータのジャンルや曲名を表示して選択し受信することに関しては、何ら記載も示唆もされていない。
　
　また、上記【００２９】、【００３０】、【００３８】、【００５０】、並びに関連する図３の記載を総合的に参酌しても、携帯型ヘッドホンステレオ装置にディスプレイや映像記録／再生カードを付加することにより、ビデオデータを再生できるようにすること、例えば、選択した音楽データにビデオデータが付随している場合や、ビデオデータが携帯型ヘッドホンステレオ装置に記憶されている場合には、当該ビデオデータも再生することができることは推察されるにしても、ビデオデータ自体を受信することを目的として、ビデオデータのジャンルや曲名を表示して選択し受信することまで明らかであるとはいえない。
　
　そして、音楽データのジャンルや曲名を表示して音楽データを選択する携帯型ヘッドホンステレオ装置にディスプレイや映像記録／再生カードを付加するという技術事項により、ビデオデータのジャンルや曲名を表示して選択し受信するという技術事項が自明であるとする技術的根拠は何ら見出せず、当初明細書等の記載全体を参酌しても、ビデオデータのジャンルや曲名を表示して選択し受信することが自明であるとも認められない。
　
　したがって、平成２０年１月２１日付け手続補正書で補正された請求項１に係る発明の
「
ビデオ再生装置側表示部と、
　
前記ビデオ再生装置側表示部に圧縮ビデオデータのジャンルを表示させ、前記ジャンルのうち選択された一のジャンルに基づいて、前記一のジャンルに分類される前記ビデオデータの曲名を前記ビデオ再生装置側表示部に表示させ、前記曲名のうち選択された一の曲名に対応するビデオデータの配信要求を前記第１のビデオ再生装置側通信部に送信させ、前記第１のビデオ再生装置側通信部に前記通信装置から前記一の曲名に対応する
という点は、当初明細書等に記載した事項の範囲内においてしたものでない。
　
　
３．むすび
　
　以上のとおり、平成２０年１月２１日付けの手続補正は、願書に最初に添付した明細書、特許請求の範囲又は図面に記載した事項の範囲内においてしたものでないから、特許法第１７条の２第３項の規定に規定する要件を満たしていない
　したがって、本件特許出願は、拒絶すべきものである。